(57)【要約】【課題】撮影時に被写体の前傾・後傾、体軸周りの回転、Ｘ線の斜入等が生じていても、医師が注目する領域のアーチファクトが低減された、読影しやすい差分画像を安定して提供できるようにする。【解決手段】医用画像処理装置２によれば、制御部２１は、同一被写体を異なる時点で撮影することにより得られた現在画像と過去画像のそれぞれに対し、被写体を構成する構造物のうち特定の構造物を強調する処理を施し、特定の構造物が強調された現在画像及び過去画像に基づいて、現在画像と過去画像における特定の構造物の位置合わせを行う。そして、特定の構造物が位置合わせされた現在画像と過去画像の差分画像を生成する。【選択図】図３
2015080555.tif 000002
【特許請求の範囲】
【請求項１】
同一被写体を異なる時点で撮影することにより得られた第１画像と第２画像のそれぞれに対し、前記被写体を構成する構造物のうち特定の構造物を強調する処理を施す強調処理手段と、
前記特定の構造物が強調された第１画像及び第２画像に基づいて、前記第１画像と前記第２画像における前記特定の構造物の位置合わせを行う位置合わせ手段と、
前記特定の構造物が位置合わせされた第１画像と第２画像の差分画像を生成する差分画像生成手段と、
を備える医用画像処理装置。
【請求項２】
前記差分画像を表示する表示手段を備える請求項１に記載の医用画像処理装置。
【請求項３】
前記被写体を構成する構造物のうち異なる複数の構造物を前記特定の構造物として、前記強調処理手段、前記位置合わせ手段、前記差分画像生成手段により複数の前記特定の構造物のそれぞれが位置合わせされた複数の差分画像を生成し、
複数の前記特定の構造物のそれぞれが位置合わせされた複数の差分画像をユーザー操作に応じて前記表示手段に切り替え表示する表示制御手段を備える請求項２に記載の医用画像処理装置。
【請求項４】
前記第１画像及び前記第２画像は、胸部Ｘ線画像であり、
前記特定の構造物は、後方肋骨、又は、血管及び気管支の何れかである請求項１又は２に記載の医用画像処理装置。
【請求項５】
前記第１画像及び前記第２画像は、胸部Ｘ線画像であり、
前記異なる複数の前記特定の構造物には、後方肋骨と、血管及び気管支とが含まれる請求項３に記載の医用画像処理装置。
【請求項６】
前記強調処理手段は、前記特定の構造物が後方肋骨である場合、前記第１画像及び前記第２画像に対し、縦成分のエッジを強調するフィルター処理を施し、当該フィルター処理を施した画像を元の画像に足し合わせることで後方肋骨を強調する請求項４又は５に記載の医用画像処理装置。
【請求項７】
前記強調処理手段は、前記特定の構造物が血管及び気管支である場合、前記第１画像及び前記第２画像に対し、肺門から放射状に広がる陰影を強調するフィルター処理を施し当該フィルター処理を施した画像を元の画像に足し合わせるか、又は高周波成分を強調する強調処理を施すことで血管及び気管支を強調する請求項４又５に記載の医用画像処理装置。
【請求項８】
前記位置合わせ手段は、前記特定の構造物が強調された第１画像及び第２画像にローカルマッチング処理を施すことにより前記第１画像と前記第２画像の対応する位置を特定してそのずれを示す移動量ベクトルを算出し、前記移動量ベクトルに基づいて前記第１画像又は前記第２画像の何れかを変形することにより前記第１画像と前記第２画像における前記特定の構造物の位置合わせを行う請求項１〜７の何れか一項に記載の医用画像処理装置。
【請求項９】
コンピューターを、
同一被写体を異なる時点で撮影することにより得られた第１画像と第２画像のそれぞれに対し、前記被写体を構成する構造物のうち特定の構造物を強調する処理を施す強調処理手段、
前記特定の構造物が強調された第１画像及び第２画像に基づいて、前記第１画像と前記第２画像における前記特定の構造物の位置合わせを行う位置合わせ手段、
前記特定の構造物が位置合わせされた第１画像と第２画像の差分画像を生成する差分画像生成手段、
として機能させるためのプログラム。
【発明の詳細な説明】
【技術分野】
【０００１】
本発明は、医用画像処理装置及びプログラムに関する。
【背景技術】
【０００２】
胸部の診断においては、過去に撮影された胸部Ｘ線画像と現在の胸部Ｘ線画像とを比較する、所謂比較読影が行われている。
【０００３】
この比較読影を支援するために、コンピューターによって、過去に撮影された画像と現在の画像の間の差分をとることで、経時変化のない正常な構造物（人体の解剖学的構造物）を減弱し、異常陰影のように経時変化のあった部分を強調させた差分画像を生成する技術が知られている。
【０００４】
しかしながら、胸部Ｘ線画像は、３次元の人体胸部を２次元で投影したものである。そのため、撮影時に、正しい体勢である図１７（ａ）に対し、図１７（ｂ）に示す被写体の前傾、後傾、体軸周りの回転や、図１８に示すＸ線源の位置のずれ（斜入）が生じると、正しい体勢とは肺野内の骨、血管、その他構造物の位置関係がずれた状態で画像に投影されてしまう。特に、開業医等の小規模な医療施設においては、集団検診のような固定された部位を撮影するわけではないためＸ線源を動かすことが多く、また、専門の撮影技師の不在によりポジショニングがばらつくことがあり、上述の構造物の位置関係のずれが起こりやすい。２つの画像において肺野内の構造物の位置関係がずれている場合、単に差分をとるだけでは正常な構造も描出されてしまい、アーチファクトとなる。
【０００５】
従来、比較する２画像間の位置ずれを補正するために、ローカルマッチング処理及びワーピング処理等によって両画像の位置合わせを行ってから差分をとることが行われている。しかし、上述のような構造物の位置関係のずれが生じた２画像においては、何れの構造物にも合わない位置合わせが行われてしまい、差分画像に全体的に正常構造が描出されてしまい、医師にとって非常に読影しづらいものとなっていた。
【０００６】
そこで、例えば、特許文献１には、２つの画像の各点に対応する対象物上の点を求めてその結果から前傾・後傾の角度を推定するとともに、投影画像の特定部分間の距離を測定し、これに基づいて垂直軸回りの角度を推定し、推定した角度と奥行に基づいて一方の画像を変形し、差分画像を生成する技術が記載されている。
【先行技術文献】
【特許文献】
【０００７】
【特許文献１】特許第３７７３１１１号公報
【発明の概要】
【発明が解決しようとする課題】
【０００８】
特許文献１に記載の技術では、前傾・後傾の角度及び体軸回りの角度を推測して処理を行うものであるため、前傾・後傾及び体軸回りの回転による位置ずれは補正できる。しかし、Ｘ線の斜入による位置ずれは補正することができないため、斜入が発生した場合には、医師が注目する領域のアーチファクトは除去できない。また、特許文献１に記載の技術では、画像の一部の情報に基づいて体の傾きを推定しているため、失敗しやすく、医師が注目する領域のアーチファクトが低減された差分画像を安定して供給することができなかった。
【０００９】
本発明の課題は、撮影時に被写体の前傾・後傾、体軸周りの回転、Ｘ線の斜入等が生じていても、医師が注目する領域のアーチファクトが低減された、読影しやすい差分画像を安定して提供できるようにすることである。
【課題を解決するための手段】
【００１０】
上記課題を解決するため、請求項１に記載の発明の医用画像処理装置は、
同一被写体を異なる時点で撮影することにより得られた第１画像と第２画像のそれぞれに対し、前記被写体を構成する構造物のうち特定の構造物を強調する処理を施す強調処理手段と、
前記特定の構造物が強調された第１画像及び第２画像に基づいて、前記第１画像と前記第２画像における前記特定の構造物の位置合わせを行う位置合わせ手段と、
前記特定の構造物が位置合わせされた第１画像と第２画像の差分画像を生成する差分画像生成手段と、
を備える。
【００１１】
請求項２に記載の発明は、請求項１に記載の発明において、
前記差分画像を表示する表示手段を備える。
【００１２】
請求項３に記載の発明は、請求項２に記載の発明において、
前記被写体を構成する構造物のうち異なる複数の構造物を前記特定の構造物として、前記強調処理手段、前記位置合わせ手段、前記差分画像生成手段により複数の前記特定の構造物のそれぞれが位置合わせされた複数の差分画像を生成し、
複数の前記特定の構造物のそれぞれが位置合わせされた複数の差分画像をユーザー操作に応じて前記表示手段に切り替え表示する表示制御手段を備える。
【００１３】
請求項４に記載の発明は、請求項１又は２に記載の発明において、
前記第１画像及び前記第２画像は、胸部Ｘ線画像であり、
前記特定の構造物は、後方肋骨、又は、血管及び気管支の何れかである。
【００１４】
請求項５に記載の発明は、請求項３に記載の発明において、
前記第１画像及び前記第２画像は、胸部Ｘ線画像であり、
前記異なる複数の前記特定の構造物には、後方肋骨と、血管及び気管支とが含まれる。
【００１５】
請求項６に記載の発明は、請求項４又は５に記載の発明において、
前記強調処理手段は、前記特定の構造物が後方肋骨である場合、前記第１画像及び前記第２画像に対し、縦成分のエッジを強調するフィルター処理を施し、当該フィルター処理を施した画像を元の画像に足し合わせることで後方肋骨を強調する。
【００１６】
請求項７に記載の発明は、請求項４又は５に記載の発明において、
前記強調処理手段は、前記特定の構造物が血管及び気管支である場合、前記第１画像及び前記第２画像に対し、肺門から放射状に広がる陰影を強調するフィルター処理を施し当該フィルター処理を施した画像を元の画像に足し合わせるか、又は高周波成分を強調する強調処理を施すことで血管及び気管支を強調する。
【００１７】
請求項８に記載の発明は、請求項１〜７の何れか一項に記載の発明において、
前記位置合わせ手段は、前記特定の構造物が強調された第１画像及び第２画像にローカルマッチング処理を施すことにより前記第１画像と前記第２画像の対応する位置を特定してそのずれを示す移動量ベクトルを算出し、前記移動量ベクトルに基づいて前記第１画像又は前記第２画像の何れかを変形することにより前記第１画像と前記第２画像における前記特定の構造物の位置合わせを行う。
【００１８】
請求項９に記載の発明のプログラムは、
コンピューターを、
同一被写体を異なる時点で撮影することにより得られた第１画像と第２画像のそれぞれに対し、前記被写体を構成する構造物のうち特定の構造物を強調する処理を施す強調処理手段、
前記特定の構造物が強調された第１画像及び第２画像に基づいて、前記第１画像と前記第２画像における前記特定の構造物の位置合わせを行う位置合わせ手段、
前記特定の構造物が位置合わせされた第１画像と第２画像の差分画像を生成する差分画像生成手段、
として機能させる。
【発明の効果】
【００１９】
本発明によれば、撮影時に被写体の前傾・後傾、体軸周りの回転、Ｘ線の斜入等が生じていても、医師が注目する領域のアーチファクトが低減された、読影しやすい差分画像を安定して提供することが可能となる。
【図面の簡単な説明】
【００２０】
【図１】本実施形態に係るＸ線画像システムの全体構成を示す図である。
【図２】図１の医用画像処理装置の機能的構成を示すブロック図である。
【図３】図１の制御部により実行される差分画像生成処理を示すフローチャートである。
【図４】（ａ）は、胸部Ｘ線画像の現在画像、（ｂ）は、同一被写体の過去画像、（ｃ）は、（ａ）、（ｂ）を用いて従来の手法による位置合わせ後に生成された差分画像を模式的に示す図である。
【図５】（ａ）は、前後傾、体軸回転、斜入等がない状態でＸ線撮影された胸部ファントムの画像、（ｂ）は、（ａ）と同一の胸部ファントムを１２°後傾させてＸ線撮影した画像である。
【図６】図５（ａ）、（ｂ）に示す互いに構造物の位置関係がずれた２画像に対して従来のローカルマッチング処理を行ったときのＡ−Ａ´位置における移動量ベクトルのｙ座標移動量及びｙ座標移動量の多項式フィッティングの結果を示すグラフである。
【図７】縦成分強調フィルターの一例を示す図である。
【図８】図３のステップＳ８における強調処理を説明するための図であり、（ａ）は原画像、（ｂ）は（ａ）の原画像に縦成分強調フィルターをかけた画像、（ｃ）は（ａ）と（ｂ）を足し合わせて生成される後方肋骨の強調画像である。
【図９】図３のステップＳ８における強調処理の各画像における後方肋骨部分の画素値を模式的に示す図である。
【図１０】方向性強調フィルターの一例を示す図である。
【図１１】図１０に示す各フィルターと注目画素（ｉ，ｊ）とｘ方向とがなす角度θの範囲の対応関係の一例を示す図である。
【図１２】図５（ａ）、（ｂ）に示す互いの構造物の位置関係がずれた２画像に対して後方肋骨を強調する処理を行ってローカルマッチング処理を行ったときのＡ−Ａ´位置における移動量ベクトルのｙ座標移動量及びｙ座標移動量の多項式フィッティングの結果を示すグラフである。
【図１３】図５（ａ）、（ｂ）に示す互いの構造物の位置関係がずれた２画像に対して血管及び気管支を強調する処理を行ってローカルマッチング処理を行ったときのＡ−Ａ´位置における移動量ベクトルのｙ座標移動量及びｙ座標移動量の多項式フィッティングの結果を示すグラフである。
【図１４】本実施形態において位置合わせの対象を後方肋骨としたときに生成される差分画像を模式的に示す図である。
【図１５】本実施形態において位置合わせの対象を血管及び気管支としたときに生成される差分画像を模式的に示す図である。
【図１６】（ａ）は、従来の手法で生成された差分画像、（ｂ）は、位置合わせの対象を後方肋骨として本実施形態の手法により生成した差分画像、（ｃ）は、位置合わせの対象を血管及び気管支として本実施形態の手法により生成した差分画像、（ｄ）は、ＢＳ処理を行ってから本実施形態の手法により生成した差分画像である。
【図１７】（ａ）は、正常な体勢での撮影を示す図、（ｂ）は、前傾が生じた撮影を示す図である。
【図１８】斜入が生じた撮影を示す図である。
【発明を実施するための形態】
【００２１】
以下、図面を参照して本発明の実施形態について説明する。ただし、発明の範囲は、図示例に限定されない。
【００２２】
［Ｘ線画像システム１００の構成］
まず、構成を説明する。
図１に、本実施形態に係るＸ線画像システム１００を示す。Ｘ線画像システム１００は、開業医やクリニック等の比較的小規模の医療施設に適用されるシステムであり、Ｘ線撮影装置１と医用画像処理装置２とが、例えば、ＬＡＮ（Local Area Network）等の通信ネットワークＮによりデータ送受信可能に接続されて構成されている。
【００２３】
Ｘ線撮影装置１は、ＦＰＤ（Flat Panel Detector）装置、ＣＲ（Computed Radiography）装置等により構成される。Ｘ線撮影装置１は、Ｘ線源とＸ線検出器（ＦＰＤやＣＲカセッテ）を有し、これらの間に配置された被写体にＸ線を照射し、被写体を透過したＸ線を検出してデジタルの医用画像を生成し、医用画像処理装置２に出力する。なお、医用画像には、患者情報、撮影部位、撮影日等が対応付けられて医用画像処理装置２に出力される。
【００２４】
医用画像処理装置２は、Ｘ線撮影装置１から入力された医用画像に各種処理を施して読影用に表示する。医用画像処理装置２は、図２に示すように、制御部２１、ＲＡＭ２２、記憶部２３、操作部２４、表示部２５、通信部２６等を備えて構成されており、各部はバス２７により接続されている。
【００２５】
制御部２１は、ＣＰＵ（Central Processing Unit）等により構成され、記憶部２３に
記憶されているシステムプログラムや処理プログラム等の各種プログラムを読み出してＲＡＭ２２に展開し、展開されたプログラムに従って後述する差分画像生成処理をはじめとする各種処理を実行することで、強調処理手段、位置合わせ手段、差分画像生成手段、表示制御手段として機能する。
【００２６】
ＲＡＭ２２は、制御部２１により実行制御される各種処理において、記憶部２３から読み出された制御部２１で実行可能な各種プログラム、入力若しくは出力データ、及びパラメーター等の一時的に記憶するワークエリアを形成する。
【００２７】
記憶部２３は、ＨＤＤ（Hard Disk Drive）や半導体の不揮発性メモリー等により構成される。記憶部２３には、前述のように各種プログラムやプログラムの実行に必要なデータ（例えば、図７に示す縦成分強調フィルター、図１０に示す方向性強調フィルター、図１１に示す対応表等）が記憶されている。また、記憶部２３には、Ｘ線撮影装置１から入力された医用画像及び医用画像処理装置２において生成された差分画像等を患者情報、撮影部位、日付等に対応付けて記憶する画像ＤＢ２３１が設けられている。
【００２８】
操作部２４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部２１に出力する。
【００２９】
表示部２５は、例えば、ＣＲＴ（Cathode Ray Tube）やＬＣＤ（Liquid Crystal Display）等のモニターを備えて構成されており、制御部２１から入力される表示信号の指示に従って、各種画面を表示する。
【００３０】
通信部２６は、ネットワークインターフェース等により構成され、スイッチングハブを介して通信ネットワークＮに接続された外部機器との間でデータの送受信を行う。
【００３１】
［Ｘ線画像システム１００の動作］
次に、Ｘ線画像システム１００の動作について説明する。
まず、Ｘ線撮影装置１において被写体の撮影が行われる。このとき、Ｘ線源とＸ線検出器とが対向する位置となるようにＸ線源やＸ線検出器の位置が調整されるとともに、これらの間に被写体部位がポジショニングされて撮影が行われる。被写体部位が胸部である場合は、Ｘ線源とＸ線検出器との間に、被写体の背側がＸ線源側を向くようにしてポジショニングが行われ、Ｘ線撮影が行われる。撮影により得られた医用画像には、患者情報、撮影部位（被写体部位）、撮影日時等が付帯情報として対応付けられて通信ネットワークＮを介して医用画像処理装置２に送信される。
【００３２】
医用画像処理装置２においては、通信部２６によりＸ線撮影装置１からの医用画像が受信されると、制御部２１により、受信された医用画像が患者情報、撮影部位、撮影日時等と対応付けられて画像ＤＢ２３１に記憶されるとともに、表示部２５に表示される。受信された医用画像の撮影部位が胸部である場合には、表示部２５に受信された医用画像（現在画像という）と併せて差分画像を表示することを指示するための差分画像表示ボタン（図示せず）が表示される。操作部２４により差分画像表示ボタンが押下されると、制御部２１により、同一患者の胸部の過去画像を選択するための選択欄が表示部２５に表示され、操作部２４により過去画像が選択されると、制御部２１により、画像ＤＢ２３１から選択された過去画像が読み出されるとともに、以下に説明する差分画像生成処理が実行され、現在画像（第１画像）と選択された過去画像（第２画像）の差分画像が生成される。
【００３３】
図３に、制御部２１により実行される差分画像生成処理のフローチャートを示す。差分画像生成処理は、制御部２１と記憶部２３に記憶されているプログラムとの協働により実行される。
【００３４】
まず、制御部２１は、選択された過去画像を処理対象としてＲＡＭ２２に入力し（ステップＳ１）、過去画像に対して前処理を行う（ステップＳ２）。同様に、制御部２１は、現在画像を処理対象としてＲＡＭ２２に入力し（ステップＳ３）、現在画像に対して前処理を行う（ステップＳ４）。
前処理としては、例えば、特開２００５−１７６４６２号公報に記載のように、非線形濃度補正、マトリクスサイズリダクション、コントラスト強調、及び／又はエッジぼかし等の処理が行われる。
【００３５】
次いで、制御部２１は、グローバルマッチング処理を行って、現在画像と過去画像の肺野領域の大局的な位置合わせを行う（ステップＳ５）。
グローバルマッチング処理は、例えば、特開２００４−１６４２９８号公報等に記載されているように、公知の画像処理技術である。グローバルマッチング処理においては、まず、現在画像と過去画像のそれぞれにおいて、肺野領域を抽出する。肺野領域の抽出は、例えば、米国特許第４８５１９５４号明細書等に記載されているような公知の画像解析技術によって抽出することができる。次いで、肺野（胸郭）の輪郭上において、特徴となる複数組の対応点を求め、対応点間のシフトベクトル（移動量ベクトル）を計算する。次いで、現在画像又は過去画像の一方（ここでは過去画像とする）をシフトベクトルに基づいてアフィン変換する。これにより、一方の画像の被写体領域である肺野領域が他方の画像の肺野領域に大局的に位置合わせされる。
【００３６】
次いで、制御部２１は、現在画像の肺野領域において、縦横方向に均等な間隔で、多数のテンプレート関心領域（テンプレートＲＯＩ）を設定する（ステップＳ６）。また、制御部２１は、過去画像の肺野領域において、縦横方向に均等な間隔で、各テンプレートＲＯＩに対応する探索領域（探索ＲＯＩ）を設定する（ステップＳ７）。なお、探索ＲＯＩのサイズは、テンプレートＲＯＩよりも大きい。テンプレートＲＯＩ、探索ＲＯＩのサイズは、実験的経験的に最適なものが用いられる。
【００３７】
次いで、制御部２１は、過去画像と現在画像のそれぞれに対し、位置合わせの対象とする特定の構造物を強調する処理を行う（ステップＳ８）。
【００３８】
ステップＳ８は、本実施形態で特徴的な処理である。被写体の前後傾、体軸周りの回転、Ｘ線の斜入等が少なくとも一方の画像撮影時に発生し、現在画像と過去画像における肺野内の構造物（例えば、前方肋骨、後方肋骨、血管及び気管支、鎖骨、心臓等の解剖学的構造物）の位置関係がずれている場合、ローカルマッチング処理及びワーピング処理により位置合わせを行ってもいずれの構造物にも合わせることができずに差分画像に正常な構造物が残ってしまうという問題があった。
【００３９】
図４（ａ）に、胸部Ｘ線画像の現在画像、図４（ｂ）に、同一被写体の過去画像、図４（ｃ）に、図４（ａ）、（ｂ）を用いて従来の手法（ローカルマッチング処理の前にステップＳ８の強調処理を行わない手法）による位置合わせ後に生成された差分画像を模式的に示す。図４（ａ）〜（ｃ）において、Ｂは後方肋骨、Ｖは血管及び気管支、Ｄは病変を示す。図４（ａ）、（ｂ）に示すように、胸部Ｘ線画像においては、特に後方肋骨Ｂと血管及び気管支Ｖとが肺野の広い領域を占める目立った構造物であり、現在画像と過去画像の何れかに、被写体の前後傾、体軸周りの回転、又は斜入が生じ、両画像の後方肋骨Ｂと血管及び気管支Ｖとの位置関係にずれが生じている場合、何れにも合わない位置合わせが行われてしまい、図４（ｃ）に示すように、差分画像にこれらの構造物が残ってしまい、病変Ｄが見え難い、非常に読影しづらい画像となっていた。
【００４０】
ローカルマッチング処理では、それぞれのテンプレートＲＯＩに対し、探索ＲＯＩ内の最も相関が高い位置を対応する位置として選択する。そして、各テンプレートＲＯＩの中心を対応位置の中心に移動するための移動量ベクトルを求め、求めた移動量ベクトルをｎ次の多項式で近似（多項式フィッティング）することで各画素の移動量ベクトルを算出する。現在画像と過去画像における構造物の位置関係のずれがない場合は、ローカルマッチング処理で正しい対応位置が見つかるため、各構造物に合った位置合わせができる。しかし、現在画像と過去画像における構造物の位置関係にずれが生じている場合、何れの構造物にも合わない位置合わせが行われてしまう。
【００４１】
図６に、図５（ａ）、（ｂ）に示す互いに構造物の位置関係がずれた２画像に対してローカルマッチング処理を行ったときのＡ−Ａ´位置における移動量ベクトルのｙ座標移動量及びｙ座標移動量の多項式フィッティングの結果を示す。なお、図５（ａ）に示す画像は、前後傾、体軸回転、斜入等なく胸部ファントムをＸ線撮影した画像（胸部ファントム画像）であり、図５（ｂ）に示す画像は図５（ａ）と同一ファントムを１２°後傾させて撮影した画像である。
【００４２】
図５（ａ）、（ｂ）に示す２画像のように構造物の位置関係にずれが生じている場合、１つのテンプレートＲＯＩ内に複数の構造物が含まれている箇所では、各構造物によって本来の対応位置は異なる。しかし、ローカルマッチング処理では、各テンプレートＲＯＩに対応する探索ＲＯＩ内で最も相互相関値が高いところをそのテンプレートＲＯＩの対応位置として選択するため、各テンプレートＲＯＩにおいて特徴的な構造物に基づいて探索ＲＯＩから対応位置が選択されることとなる。そのため、肺野全体で総合してみると、テンプレートＲＯＩ毎に対応させた構造物がまちまちとなり、図６に示すように、場所によって対応位置への移動量ベクトルの大きさや方向にばらつきが生じ、各移動量ベクトルの多項式フィッティングを行って各画素の移動量ベクトルを算出しても、フィッティングの結果が何れの構造物のエッジにも合わないものとなってしまう。例えば、図６には、後方肋骨のエッジ変化、血管及び気管支のエッジ変化を示しているが、フィッティング結果が何れのエッジ変化にも合っていない。その結果、何れの構造物にも合わない位置合わせが行われてしまうこととなる。
【００４３】
そこで、ステップＳ８においては、現在画像と過去画像のそれぞれに対し、位置合わせの対象とする特定の構造物を強調する処理を行って、その構造物が含まれるテンプレートＲＯＩにおいてはその構造物の特徴に基づいて対応位置が決定されるように特徴付けを行う。
ここで、胸部Ｘ線画像の差分画像において、肺野全体にかかる後方肋骨は特に読影に影響する目立った構造物である。また、血管及び気管支周辺の読影では、血管及び気管支も読影に影響する。そこで、本実施形態においては、位置合わせの対象とする特定の構造物を（Ａ）後方肋骨、（Ｂ）血管及び気管支とし、それぞれの構造物を強調する処理を行う。
【００４４】
具体的に、（Ａ）後方肋骨を位置合わせの対象とした場合、現在画像と過去画像のそれぞれに対し、図７に示す縦成分強調フィルターをかけ、原画像（図８（ａ）参照）とこのフィルターをかけた画像（図８（ｂ）参照）とを足し合わせて、後方肋骨の強調画像（図８（ｃ）参照。現在画像と過去画像のそれぞれの強調画像。）を生成する。
図７に示す縦成分強調フィルターは、後方肋骨が上下に等間隔に並ぶという構造的な特徴に基づいて作成されたフィルターであり、フィルターサイズは、後方肋骨のサイズに合ったものとなっている。このフィルターにより、図９の各画像における後方肋骨部分の画素値の概念図に示すように、原画像の後方肋骨のエッジを上下の方向性をつけて強調することができる。このように、縦成分強調フィルターにより、後方肋骨を目立たせるとともに、上下の方向成分を特徴付けて後方肋骨の上下を間違えない特徴を作り出すことによって、臨床現場には存在しないが位置合わせに寄与するオリジナルの画像を作り出すことができる。
【００４５】
また、（Ｂ）血管及び気管支を位置合わせの対象とした場合、現在画像と過去画像のそれぞれに対し、図１０に示す方向性強調フィルターをかけ、原画像と、このフィルターをかけた画像とを足し合わせて血管及び気管支の強調画像（現在画像と過去画像のそれぞれの強調画像）を生成する。
ここで、肺野の血管及び気管支は、図１０に示すように、肺門から放射状に広がる構造を有している。方向性強調フィルターは、血管及び気管支のこの特徴に基づいて、起点（肺門）から放射状に広がる構造を強調するフィルターであり、右肺野、左肺野のそれぞれに複数のフィルター（ここではＦｉｌｔｅｒＡ１〜ＦｉｌｔｅｒＡ９）が用意されている（記憶部２３に記憶されている）。ＦｉｌｔｅｒＡ１〜ＦｉｌｔｅｒＡ９は、図１０に示すように、注目画素（ｉ，ｊ）とｘ方向とがなす角度θの範囲に対応付けられており、注目画素の位置に応じたフィルターが使用される。
なお、図１０は、一例として左肺野のフィルターを示しているが、右肺野の各フィルターは左肺野のフィルターの左右を反転したものである。
【００４６】
血管を強調する処理は、以下のようにして行われる。
（１）まず、起点となる肺門（Ｘｃ、Ｙｃ）を設定する。肺門（Ｘｃ、Ｙｃ）の設定は、表示部２５に現在画像、過去画像をそれぞれ表示し、表示された各画像上を医師が操作部２４により指定することにより行われる。
（２）次いで、現在画像、過去画像のそれぞれにおいて、注目画素（ｉ，ｊ）と肺門（Ｘｃ、Ｙｃ）の位置関係を決定する。
具体的には、肺門（Ｘｃ、Ｙｃ）から注目画素（ｉ，ｊ）へのベクトルＶ及び角度θ（図１０参照）を算出する。
ここで、ベクトルＶ＝（Ｘｃ−ｉ，Ｙｃ−ｊ）
角度θ＝ａｒｃｔａｎ｛（Ｙｃ−ｊ）／（Ｘｃ−ｉ）｝
（３）角度θの範囲に応じたフィルターをＦｉｌｔｅｒＡ１〜ＦｉｌｔｅｒＡ９の中から選択し、フィルター処理をかける。
（４）フィルター処理をかけた結果値と原画像の画素値を足す。
（５）原画像の全ての画素が終了するまで、注目画素を１画素ずつずらしながら（１）〜（４）を繰り返す。
上記の強調処理により、肺門から放射状に広がる構造、即ち、血管を強調した強調画像が得られる。
【００４７】
なお、血管及び気管支は骨成分より高周波な成分からなるため、血管及び気管支の強調は、現在画像及び過去画像のそれぞれに対し、骨成分（８ｍｍ〜２０ｍｍ）より細かい高周波成分を強調するフィルターをかけることにより行うこととしてもよい。ここで、高周波を強調するフィルターとしては、アンシャープマスクフィルタ、ソーベルフィルター、ラプラシアンフィルター等を用いることができる。また、現在画像及び過去画像のそれぞれをフーリエ変換してハイパスフィルタを通した後、逆フーリエ変換することで高周波成分を強調することで、血管の強調を行うこととしてもよい。
【００４８】
次いで、制御部２１は、位置合わせの対象となる特定の構造物が強調された現在画像及び過去画像を入力画像としてローカルマッチング処理を実行する（ステップＳ９）。即ち、特定の構造物が強調された現在画像における各テンプレートＲＯＩを、特定の構造物が強調された過去画像の対応する探索ＲＯＩ内で移動させながら相互相関値Ｒｉ,ｊを計算し、相互相関値Ｒｉ,ｊが最も高い位置をそのテンプレートＲＯＩの対応位置として選択し、テンプレートＲＯＩの中心から対応位置の中心への移動量ベクトルを算出する。
なお、相互相関値Ｒｉ,ｊは、以下の［数１］により算出することができる。
【数１】
2015080555.tif 000003
【００４９】
次いで、制御部２１は、各テンプレートＲＯＩに対応する移動量ベクトルの分布をマッピングし（ステップＳ１０）、マッピングした移動量ベクトルをｎ次多項式を用いてフィッティング（多項式フィッティング）し、各画素の移動量ベクトルを求める（ステップＳ１１）。
【００５０】
図１２に、上述の図５（ａ）、（ｂ）に示す互いの構造物の位置関係がずれた２画像に対して後方肋骨を強調する処理を行って、この後方肋骨が強調された２画像に対してローカルマッチング処理を行ったときのＡ−Ａ´位置における移動量ベクトルのｙ座標移動量及びｙ座標移動量の多項式フィッティングの結果を示す。
図１２に示すように、多項式フィッティングの結果、後方肋骨のエッジ変化に近いカーブが得られていることがわかる。
【００５１】
図１３に、上述の図５（ａ）、（ｂ）に示す互いの構造物の位置関係がずれた２画像に対して血管及び気管支を強調する処理を行って、この血管及び気管支が強調された２画像に対してローカルマッチング処理を行ったときのＡ−Ａ´位置における移動量ベクトルのｙ座標移動量及びｙ座標移動量の多項式フィッティングの結果を示す。
図１３に示すように、多項式フィッティングの結果、血管及び気管支のエッジ変化に近いカーブが得られていることがわかる。
なお、図１２、図１３においては、ｙ座標移動量のみを示しているが、ｘ座標移動量も同様に、それぞれ、後方肋骨の変化に近いカーブ、血管及び気管支の変化に近いカーブが得られる。
【００５２】
次いで、制御部２１は、求めた各画素の移動量ベクトルに基づいて、過去画像（強調されていない入力過去画像）にワーピング処理（非線形歪み処理）を施す（ステップＳ１２）。ワーピング処理は、例えば、特開２００５−１７６４６２号公報に記載されているように、公知の画像処理技術である。ワーピング処理後、制御部２１は、現在画像（強調されていない現在画像）と変形された過去画像の差分をとって差分画像を生成する（ステップＳ１３）。具体的には、現在画像の各画素の値から過去画像の対応する各画素の値を引くことにより差分画像を生成する。
【００５３】
図１４に、ステップＳ１３において、位置合わせの対象を後方肋骨としたときに生成される差分画像を模式的に示す。図１２のグラフに示したように、位置合わせの対象を後方肋骨として現在画像及び過去画像に後方肋骨の強調処理を行った画像を入力としてローカルマッチング処理及び多項式フィッティングを行った場合、後方肋骨のエッジ変化に近いカーブが得られる。このカーブで表される移動量ベクトルに基づいて過去画像にワーピング処理を行うと、過去画像の後方肋骨が現在画像の後方肋骨に合うように位置合わせされる。よって、現在画像と過去画像の差分画像は、図１４に示すように、後方肋骨のアーチファクトが非常に弱まった（消えた）ものとなる。このように、後方肋骨に合った位置合わせを行うことによって、胸部Ｘ線画像において特に目立った構造物である後方肋骨が差分画像に現れないようにすることができるので、医師に読影しやすい差分画像を提供することが可能となる。特に、後方肋骨周辺の領域に注目して読影を行う場合に、読影しやすい差分画像を安定して提供することが可能となる。
【００５４】
図１５に、ステップＳ１３において、位置合わせの対象を血管及び気管支としたときに生成される差分画像を模式的に示す。図１３のグラフで示したように、位置合わせの対象を血管及び気管支として現在画像及び過去画像に血管及び気管支の強調処理を行った画像を入力としてローカルマッチング処理及び多項式フィッティングを行った場合、血管及び気管支のエッジ変化に近いカーブが得られる。このカーブで表される移動量ベクトルに基づいて過去画像にワーピング処理を行うと、過去画像の血管及び気管支が現在画像の血管及び気管支に合うように位置合わせされる。よって、現在画像と過去画像の差分画像は、図１５に示すように、血管及び気管支のアーチファクトが非常に弱まった（消えた）ものとなる。このように、血管及び気管支に合った位置合わせを行うことによって、胸部Ｘ線画像において目立った構造物である血管及び気管支が差分画像に現れないようにすることができるので、特に、血管及び気管支周辺の領域に注目して読影を行う場合に、医師に読影しやすい差分画像を安定して提供することが可能となる。
【００５５】
図１６（ａ）〜図１６（ｃ）に、図５（ａ）、（ｂ）に示す胸部のファントム画像を入力画像として生成した差分画像を示す。図１６（ａ）は、従来の手法で生成された差分画像を示す。図１６（ｂ）は、位置合わせの対象を後方肋骨として本実施形態の手法により生成した差分画像を示す。図１６（ｃ）は、位置合わせの対象を血管及び気管支として本実施形態の手法により生成した差分画像を示す。
図１６（ａ）に示すように、従来の手法により生成した差分画像では、後方肋骨、血管及び気管支の双方が残っているおり、アーチファクトとなっている。これに対し、本実施形態で説明した手法によって位置合わせの対象を後方肋骨にして生成した差分画像では、図１６（ｂ）に示すように、後方肋骨が非常に弱まっていることがわかる。また、本実施形態で説明した手法によって位置合わせの対象を血管及び気管支にして生成した差分画像では、図１６（ｃ）に示すように、血管及び気管支が非常に弱まっていることがわかる。
【００５６】
差分画像の生成が終了すると、制御部２１は、生成した差分画像を表示部２５に表示し（ステップＳ１４）、差分画像生成処理を終了する。
例えば、ステップＳ１４において、制御部２１は、まず、後方肋骨に基づく位置合わせを行った（後方肋骨のアーチファクトが弱まった）差分画像を表示部２５に表示するとともに、表示切り替えボタンを合わせて表示する。操作部２４により表示切り替えボタンが押下されると、制御部２１は、表示部２５に血管及び気管支に基づく位置合わせを行った（血管及び気管支のアーチファクトが弱まった）差分画像を表示部２５に表示する。以降、表示切り替えボタンの押下に応じて、制御部２１は、２つの差分画像を切り替え表示する。
このように、後方肋骨のアーチファクトが弱まった差分画像と、血管及び気管支のアーチファクトが弱まった差分画像とを操作部２４の操作により切り替え表示できるようにすることで、撮影時に被写体の前傾・後傾、体軸回りの回転、Ｘ線の斜入等が生じていても、医師が注目する領域に応じた読影のしやすい差分画像を容易に表示させることができる。
または、後方肋骨のアーチファクトが弱まった差分画像と、血管及び気管支のアーチファクトが弱まった差分画像とを並べて表示することとしてもよい。
【００５７】
以上説明したように、医用画像処理装置２によれば、制御部２１は、同一被写体を異なる時点で撮影することにより得られた現在画像と過去画像のそれぞれに対し、被写体を構成する構造物のうち特定の構造物を強調する処理を施し、特定の構造物が強調された現在画像及び過去画像に基づいて、現在画像と過去画像における特定の構造物の位置合わせを行う。そして、特定の構造物が位置合わせされた現在画像と過去画像の差分画像を生成する。
【００５８】
従って、比較する現在画像と過去画像の何れかの撮影時に被写体の前傾・後傾、体軸周りの回転、Ｘ線の斜入等が生じた結果、２つの画像の被写体を構成する構造物の位置関係にずれが生じていても、医師が注目する領域にある特定の構造物、例えば、肺野領域全体に広がる後方肋骨や、或いは血管及び気管支等に合った位置合わせを行って差分画像を生成することができるので、医師が注目する領域にある経時変化のない特定構造物のアーチファクトが低減された、読影しやすい差分画像を安定して提供することが可能となる。
【００５９】
また、医用画像処理装置２は、生成された差分画像を表示部２５に表示するので、医師の読影のしやすい差分画像をモニターにより提供することができる。
【００６０】
また、被写体を構成する構造物のうち、例えば、後方肋骨や血管及び気管支等の異なる複数の構造物を特定の構造物として、これらの特定の構造物のそれぞれが位置合わせされた複数の差分画像を生成し、複数の差分画像をユーザー操作に応じて表示部２５に切り替え表示するようにすることで、医師が複数の領域に注目したい場合等に、より一層読影のしやすい態様で差分画像を提供することが可能となる。
【００６１】
具体的には、特定の構造物が後方肋骨である場合、現在画像及び過去画像に対し、縦成分のエッジを強調するフィルター処理を施し、当該フィルター処理を施した画像を元の画像に足し合わせることで後方肋骨を強調した画像を生成することができる。
また、特定の構造物が血管及び気管支である場合、現在画像及び過去画像に対し、肺門から放射状に広がる陰影を強調するフィルター処理を施し当該フィルター処理を施した画像を元の画像に足し合わせるか、又は高周波成分を強調する強調処理を施すことで血管及び気管支を強調した画像を生成することができる。
そして、特定の構造物が強調された現在画像及び過去画像にローカルマッチング処理を施すことにより現在画像と過去画像の対応する位置を特定してそのずれを示す移動量ベクトルを算出し、移動量ベクトルに基づいて現在画像又は過去画像の何れかを変形することにより現在画像と過去画像における特定の構造物の位置合わせを行うことができる。
【００６２】
なお、上述した本実施形態における記述は、本発明に係る好適な一例であり、これに限定されるものではない。
例えば、上記実施形態においては、位置合わせの対象となる構造物を後方肋骨、血管とし、これらを強調した画像に基づいてローカルマッチング処理を行う場合について説明したが、胸郭、縦隔、横隔膜、鎖骨、心臓、前方肋骨等の他の構造物を位置合わせの対象としてこれらを強調した画像に基づいてローカルマッチング処理を行うこととしてもよい。
【００６３】
また、位置合わせの対象を血管及び気管支とする場合には、入力された現在画像及び過去画像に対して、予めＢＳ（Bone Suppression）処理を施しておくことが好ましい。ＢＳ処理は、骨を認識し、骨の成分を減弱若しくは骨の成分の濃度を弱める処理である（例えば、http://www.riveraintech.com/products/bone-suppression参照）。胸部Ｘ線画像で主な成分である骨成分を予め減弱してから血管及び気管支を強調し、ローカルマッチング〜移動量ベクトルのフィッティングを行うことで、より血管及び気管支に合った位置合わせを行うことが可能となる。また、血管及び気管支の成分とともに骨の成分も差分画像から除去することが可能となり、アーチファクトをより一層抑えた差分画像を得ることが可能となる。
【００６４】
図１６（ｄ）に、図５（ａ）、（ｂ）に示す胸部のファントム画像を入力画像とし、これにＢＳ処理を施してから差分画像生成処理で血管及び気管支を位置合わせの対象として生成した差分画像を示す。図１６（ｄ）に示すように、後方肋骨、血管及び気管支の双方のアーチファクトのない差分画像を得ることができる。
【００６５】
また、上記実施形態においては、後方肋骨を位置合わせの対象として生成した差分画像と血管及び気管支を位置合わせの対象として生成した差分画像を生成し、これらをユーザー操作に応じて切り替え表示する場合を例にとり説明したが、予め選択された何れか一方の差分画像のみを生成して表示部２５に表示することとしてもよい。
【００６６】
また、例えば、上記実施形態においては、Ｘ線撮影装置で撮影された胸部Ｘ線画像についての差分画像を生成する場合を例にとり説明したが、他のモダリティで撮影された他の部位の撮影画像についての差分画像を生成する場合に適用してもよい。
【００６７】
また、上記実施形態においては、現在画像にテンプレートＲＯＩ、過去画像に探索ＲＯＩを設定してローカルマッチング処理を行ったが、現在画像に探索ＲＯＩ、過去画像にテンプレートＲＯＩを設定することとしてもよい。また、上記実施形態においては、過去画像にワーピング処理を施したが、何れの画像に施しても構わない。
【００６８】
また、以上の説明では、各処理を実行するためのプログラムを格納したコンピューター読み取り可能な媒体としてＨＤＤや不揮発性メモリーを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【００６９】
その他、Ｘ線画像システムを構成する各装置の細部構成及び細部動作に関しても、発明の趣旨を逸脱することのない範囲で適宜変更可能である。
【符号の説明】
【００７０】
１００  Ｘ線画像システム
１  Ｘ線撮影装置
２  医用画像処理装置
２１  制御部
２２  ＲＡＭ
２３  記憶部
２３１  画像ＤＢ
２４  操作部
２５  表示部
２６  通信部
２７  バス
【図１】
2015080555.tif 000004
【図２】
2015080555.tif 000005
【図３】
2015080555.tif 000006
【図４】
2015080555.tif 000007
【図６】
2015080555.tif 000008
【図７】
2015080555.tif 000009
【図９】
2015080555.tif 000010
【図１０】
2015080555.tif 000011
【図１１】
2015080555.tif 000012
【図１２】
2015080555.tif 000013
【図１３】
2015080555.tif 000014
【図１４】
2015080555.tif 000015
【図１５】
2015080555.tif 000016
【図１７】
2015080555.tif 000017
【図１８】
2015080555.tif 000018
【図５】
2015080555.tif 000019
【図８】
2015080555.tif 000020
【図１６】
2015080555.tif 000021